(57)【特許請求の範囲】
【請求項１】
内側に結合テンション凸輪（１１）が一体形成された容器本体（１０）と、
前記容器本体（１０）と開閉可能にヒンジ結合され、一端に開閉ボタン（２１）が形成された容器蓋（２０）と、
前記容器本体（１０）の内部に装着され、化粧物質収容空間（３１）が形成されたリフィル容器（３０）と、
前記リフィル容器（３０）の上部に結合される密閉パッキン（５０）と、
前記リフィル容器（３０）と開閉可能にヒンジ結合され、下端にシーリング環状凸輪（６３）が形成されたリフィル容器蓋（６０）と、を含んでなり、
前記密閉パッキン（５０）の上側にはリフィル容器蓋（６０）のシーリング環状凸輪（６３）と密着する上方向に延びる突起状の上部シーリングラバー（５１）が一体形成され、下側にはリフィル容器（３０）の上部内側に密着し下方向に延びる突起状の下部シーリングラバー（５２）が一体形成されることを特徴とする、上下部シーリングラバーを有する固定パッキン及び結合テンション凸輪を備えたコンパクト容器。
【請求項２】
前記結合テンション凸輪（１１）は容器本体（１０）の内側に一定間隔で離隔して延設され、前記結合テンション凸輪（１１）と容器本体（１０）の間には結合テンション凸輪（１１）が弾性的に動けるように弾性空間（１３）が形成されることを特徴とする、請求項１に記載の上下部シーリングラバーを有する固定パッキン及び結合テンション凸輪を備えたコンパクト容器。
【請求項３】
前記結合テンション凸輪（１１）の内側には結合突起（１２）が形成され、前記結合突起（１２）はリフィル容器（３０）の下部外周面に形成された結合溝（３２）に締結されることを特徴とする、請求項１に記載の上下部シーリングラバーを有する固定パッキン及び結合テンション凸輪を備えたコンパクト容器。
【請求項４】
前記リフィル容器（３０）の化粧物質収容空間（３１）には含浸部材（４０）が収容されることを特徴とする、請求項１に記載の上下部シーリングラバーを有する固定パッキン及び結合テンション凸輪を備えたコンパクト容器。
【請求項５】
前記リフィル容器（３０）は、内壁（３４）と前記内壁（３４）の外側に一定間隔で離隔して延設された外壁（３５）とを含んでなることを特徴とする、請求項１に記載の上下部シーリングラバーを有する固定パッキン及び結合テンション凸輪を備えたコンパクト容器。
【請求項６】
前記上部シーリングラバー（５１）と下部シーリングラバー（５２）は密閉パッキン（５０）の上部と下部に二重射出又はインサート射出方式で形成されることを特徴とする、請求項１に記載の上下部シーリングラバーを有する固定パッキン及び結合テンション凸輪を備えたコンパクト容器。
【請求項７】
前記上部シーリングラバー（５１）と下部シーリングラバー（５２）は弾性ゴム素材で形成され、天然ゴム、エラストマー、ＮＢＲ（ａｃｒｙｌｏｎｉｔｒｉｌｅ−ｂｕｔａｄｉｅｎｅ  ｒｕｂｂｅｒ）ゴム及びシリコンゴムの一つ以上の素材で形成されることを特徴とする、請求項１に記載の上下部シーリングラバーを有する固定パッキン及び結合テンション凸輪を備えたコンパクト容器。
【請求項８】
前記下部シーリングラバー（５２）の外側には密閉凸輪ラバー（５３）が突設され、前記密閉凸輪ラバー（５３）はリフィル容器（３０）に形成された内壁（３４）の上端に圧迫状態で密着することを特徴とする、請求項１に記載の上下部シーリングラバーを有する固定パッキン及び結合テンション凸輪を備えたコンパクト容器。
【請求項９】
前記密閉パッキン（５０）は下側に下部延長部（５４）が延設され、前記下部延長部（５５）の内周面には締結溝（５５）が形成されることを特徴とする、請求項１に記載の上下部シーリングラバーを有する固定パッキン及び結合テンション凸輪を備えたコンパクト容器。
【請求項１０】
前記内壁（３４）の外周面には締結突起（３６）が形成され、前記締結突起（３６）は下部延長部（５４）の内周面に形成された締結溝（５５）に締結されることを特徴とする、請求項５に記載の上下部シーリングラバーを有する固定パッキン及び結合テンション凸輪を備えたコンパクト容器。
【発明の詳細な説明】
【技術分野】
【０００１】
本発明は、上下部シーリングラバーを有する密閉パッキン及び結合テンション凸輪を備えたコンパクト容器に関し、より詳しくは、リフィル容器の上部に、ゴム素材のリフィル容器蓋と密着する上部シーリングラバーとリフィル容器と密着する下部シーリングラバーと一体形成された密閉パッキンを結合し、リフィル容器の化粧物質収容空間を密閉させることにより、化粧物質が蒸発又は揮発することを防止して長期間にわたって化粧物質が適切に機能を発揮するようにし、さらに従来の中容器を除去してリフィル容器を容器本体に直接締結させてリフィル容器の化粧物質収容空間を最大化し、よって多量の化粧物質を効果的に充填することができるようにして、ひんぱんな化粧物質リフィルの不便さを最小化することができるようにし、このために、容器本体の内側に結合テンション凸輪を形成することにより、リフィル容器を組立てるとき、結合テンション凸輪が弾性的に動いてリフィル容器を容易に組立てることができるようにし、前記結合テンション凸輪に結合突起を形成することによってリフィル容器を容器本体に効果的に固定させることができるようにする、上下部シーリングラバーを有する密閉パッキン及び結合テンション凸輪を備えたコンパクト容器に関する。
【背景技術】
【０００２】
化粧品は人体を清潔に美化して魅力を高め、顔つきを明るく変化させるか、皮膚や毛髪の健康を維持又は増進させるために人体に使われる物品で、人体に対する作用が小さいものを言う。
【０００３】
一般に、化粧品は界面活性剤のような乳化剤を用いて互いに異なる剤形の化粧物質を混合して製造し、混合方法によって油相原料に水相原料を混合した油中水型と水相原料に油相原料を混合した水中油型の化粧物質に区分することができる。
【０００４】
前記油中水型化粧物質は油相原料に水相原料を混合したもので、油分が多くて皮膚への吸収が遅く接触感が重いが、水中油型より持続性が高い利点がある。従って、持続性が必要な化粧品は、汗や水に対する耐水性を高めるために油中水型化粧物質を使って製造される。
【０００５】
油中水型化粧物質の接触感が重くてべたつく欠点を補完するために、化粧品は内容物の粘度を低めて製造される。しかしながら、低粘度油中水型製品は流通中に容器内で長期間保管される場合、内相である水相原料と外相である油相原料が互いに分離されることがある。この場合、使用者が容器を振ることで分離された水相原料と油相原料を混合して使わなければならない面倒な問題点があった。
【０００６】
上記の問題点を解決するために、図１に示すように、本出願人は大韓民国登録実用新案第２０−０４７３５８３号のように、低粘度油中水型内容物を含浸部材に含浸させてコンパクト容器に入れた製品を開発した。
【０００７】
しかし、従来技術では、リフィル容器蓋６をリフィル容器３で覆って密閉させていたが、前記リフィル容器蓋６とリフィル容器３を合成樹脂素材で形成するため、素材の特性上、隙間が発生して密閉力が低下し、化粧物質が揮発又は蒸発する問題点があった。
【０００８】
また、従来技術では、リフィル容器３が中容器２に結合されて容器本体１で占める空間が多く必要となり、リフィル容器３に収容可能な化粧物質の量が減少するため、ひんぱんにリフィルを行わなければならない問題点があるため、内部部品を最小化して効率的に大容量の化粧物質を充填することができる容器の開発が必要な実情であった。
【発明の概要】
【発明が解決しようとする課題】
【０００９】
本発明は上記の問題点を解決するためになされたもので、リフィル容器の上部に、リフィル容器蓋と密着するゴム素材の上部シーリングラバーとリフィル容器と密着するゴム素材の下部シーリングラバーと一体形成された密閉パッキンを結合し、リフィル容器の化粧物質収容空間を密閉させることにより、化粧物質が蒸発又は揮発することを防止して長期間にわたって化粧物質が適切に機能を発揮するようにする、上下部シーリングラバーを有する密閉パッキン及び結合テンション凸輪を備えたコンパクト容器を提供することを目的とする。
【００１０】
また、従来の中容器を除去してリフィル容器を容器本体に直接締結させてリフィル容器の化粧物質収容空間を最大化することによって、多量の化粧物質を効果的に充填することができるようにして、ひんぱんな化粧物質リフィルの不便さを最小化することができるようにし、このために、容器本体の内側に結合テンション凸輪を形成することにより、リフィル容器を組立てるとき、結合テンション凸輪が弾性的に動いてリフィル容器を容易に組立てることができるようにし、前記結合テンション凸輪に結合突起を形成することによってリフィル容器を容器本体に効果的に固定させることができるようにする、上下部シーリングラバーを有する密閉パッキン及び結合テンション凸輪を備えたコンパクト容器を提供することを目的とする。
【課題を解決するための手段】
【００１１】
本発明は、内側に結合テンション凸輪１１が一体に形成された容器本体１０と、
前記容器本体１０と開閉可能にヒンジ結合され、一端に開閉ボタン２１が形成された容器蓋２０と、
前記容器本体１０の内部に装着され、化粧物質収容空間３１が形成されたリフィル容器３０と、
前記リフィル容器３０の上部に結合される密閉パッキン５０と、
前記リフィル容器３０と開閉可能にヒンジ結合され、下端にシーリング環状凸輪６３が形成されたリフィル容器蓋６０と、を含んでなり、
前記密閉パッキン５０の上側にはリフィル容器蓋６０のシーリング環状凸輪６３と密着する上部シーリングラバー５１が一体に形成され、下側にはリフィル容器３０の上部内側に密着する下部シーリングラバー５２が一体に形成されることを特徴とする、上下部シーリングラバーを有する固定パッキン及び結合テンション凸輪を備えたコンパクト容器を提供する。
【００１２】
また、前記結合テンション凸輪１１は容器本体１０の内側に一定間隔で離隔して延設され、前記結合テンション凸輪１１と容器本体１０の間には結合テンション凸輪１１が弾性的に動けるように弾性空間１３が形成されることを特徴とする。
【００１３】
また、前記結合テンション凸輪１１の内側には結合突起１２が形成され、前記結合突起１２はリフィル容器３０の下部外周面に形成された結合溝３２に締結されることを特徴とする。
【００１４】
また、前記リフィル容器３０の化粧物質収容空間３１には含浸部材４０が収容されることを特徴とする。
【００１５】
また、前記リフィル容器３０は内壁３４と前記内壁３４の外側に一定間隔で離隔して延設された外壁３５とを含んでなることを特徴とする。
【００１６】
また、前記上部シーリングラバー５１と下部シーリングラバー５２は固定パッキン５０の上部と下部に二重射出又はインサート射出方式で形成されることを特徴とする。
【００１７】
また、前記上部シーリングラバー５１と下部シーリングラバー５２は弾性ゴム素材で形成され、特に天然ゴム、エラストマー、ＮＢＲ（ａｃｒｙｌｏｎｉｔｒｉｌｅ−ｂｕｔａｄｉｅｎｅ  ｒｕｂｂｅｒ）ゴム及びシリコンゴムの一つ以上の素材で形成されることを特徴とする。
【００１８】
また、前記下部シーリングラバー５２の一端には密閉凸輪ラバー５３が形成され、前記密閉凸輪ラバー５３はリフィル容器３０に形成された内壁３４の上端に密着することを特徴とする。
【００１９】
また、前記密閉パッキン５０は下側に下部延長部５４が延設され、前記下部延長部５５の内周面には締結溝５５が形成されることを特徴とする。
【００２０】
また、前記内壁３４の外周面には締結突起３６が形成され、前記締結突起３６は下部延長部５４の内周面に形成された締結溝５５に締結されることを特徴とする。
【発明の効果】
【００２１】
本発明による上下部シーリングラバーを有する密閉パッキン及び結合テンション凸輪を備えたコンパクト容器は、リフィル容器の上部に、リフィル容器蓋と密着する上部シーリングラバーとリフィル容器と密着する下部シーリングラバーと一体形成された密閉パッキンを結合し、リフィル容器の化粧物質収容空間を密閉させることにより、化粧物質が蒸発又は揮発することを防止して長期間にわたって化粧物質が適切に機能を発揮するようにする、上下部シーリングラバーを有する密閉パッキン及び結合テンション凸輪を備えたコンパクト容器を提供する効果がある。
【００２２】
また、従来の中容器を除去してリフィル容器を容器本体に直接締結させてリフィル容器の化粧物質収容空間を最大化することによって、多量の化粧物質を効果的に充填することができるようにして、ひんぱんな化粧物質リフィルの不便さを最小化することができるようにし、このために、容器本体の内側に結合テンション凸輪を形成することにより、リフィル容器を組立てるとき、結合テンション凸輪が弾性的に動いてリフィル容器を容易に組立てることができるようにし、前記結合テンション凸輪に結合突起を形成することによってリフィル容器を容器本体に効果的に固定させることができるようにする、上下部シーリングラバーを有する密閉パッキン及び結合テンション凸輪を備えたコンパクト容器を提供する効果がある。
【図面の簡単な説明】
【００２３】
【図１】従来のコンパクト容器の断面図である。
【図２】本発明の一実施例による上下部シーリングラバーを有する密閉パッキン及び結合テンション凸輪を備えたコンパクト容器の斜視図である。
【図３】本発明の一実施例による上下部シーリングラバーを有する密閉パッキン及び結合テンション凸輪を備えたコンパクト容器の分解斜視図である。
【図４】本発明の一実施例による上下部シーリングラバーを有する密閉パッキン及び結合テンション凸輪を備えたコンパクト容器の断面図である。
【図５】図４のＡ部の拡大図である。
【図６】図４のＢ部の拡大図である。
【図７】本発明の一実施例による上下部シーリングラバーを有する密閉パッキン及び結合テンション凸輪を備えたコンパクト容器の密閉パッキンに上下部シーリングラバーが形成される状態の斜視図である。
【図８】図７のＣ−Ｃ線に沿った断面図である。
【発明を実施するための形態】
【００２４】
本発明による上下部シーリングラバーを有する密閉パッキン及び結合テンション凸輪を備えたコンパクト容器の一実施例を添付図面に基づいて説明すれば次のようになる。
【００２５】
図２は本発明の一実施例による上下部シーリングラバーを有する密閉パッキン及び結合テンション凸輪を備えたコンパクト容器の斜視図、図３は本発明の一実施例による上下部シーリングラバーを有する密閉パッキン及び結合テンション凸輪を備えたコンパクト容器の分解斜視図である。図４は本発明の一実施例による上下部シーリングラバーを有する密閉パッキン及び結合テンション凸輪を備えたコンパクト容器の断面図、図５は図４のＡ部の拡大図、図６は図４のＢ部の拡大図である。図７は本発明の一実施例による上下部シーリングラバーを有する密閉パッキン及び結合テンション凸輪を備えたコンパクト容器の密閉パッキンに上下部シーリングラバーが形成される状態の斜視図、図８は図７のＣ−Ｃ線に沿った断面図である。
【００２６】
本発明の上下部シーリングラバーを有する密閉パッキン及び結合テンション凸輪を備えたコンパクト容器は、内側に結合テンション凸輪１１が一体形成された容器本体１０と、前記容器本体１０と開閉可能にヒンジ結合され、一端に開閉ボタン２１が形成された容器蓋２０と、前記容器本体１０の内部に装着され、化粧物質収容空間３１が形成されたリフィル容器３０と、前記リフィル容器３０の上部に結合される密閉パッキン５０と、前記リフィル容器３０と開閉可能にヒンジ結合され、下端にシーリング環状凸輪６３が形成されたリフィル容器蓋６０とからなり、前記密閉パッキン５０の上側には、リフィル容器蓋６０のシーリング環状凸輪６３と密着する上部シーリングラバー５１が一体形成され、下側にはリフィル容器３０の上部内側に密着する下部シーリングラバー５２が一体形成される。
【００２７】
前記容器本体１０はその内部にリフィル容器３０が収容され、内側に結合テンション凸輪１１が一体形成され、一端にロック溝１４が形成される。
【００２８】
前記結合テンション凸輪１１は容器本体１０の内側に一定間隔で離隔して延設され、前記結合テンション凸輪１１と容器本体１０の間には、結合テンション凸輪１１が弾性的に動けるように、弾性空間１３が形成される。
【００２９】
前記結合テンション凸輪１１の内側には結合突起１２が形成され、前記結合突起１２は、図６に示すように、リフィル容器３０の下部外周面に形成された結合溝３２に締結されることにより、前記リフィル容器３０が容器本体１０から分離されることを防止する。
【００３０】
前記ロック溝１４と向き合う側にヒンジが形成され、容器蓋２０とヒンジピン１５を介してヒンジ結合される。
【００３１】
前記容器蓋２０は容器本体１０の上部を覆うもので、容器本体１０とヒンジで連結され、前記容器本体１０を開放するかあるいは閉鎖する役目をする。
【００３２】
前記容器蓋２０は一端に開閉ボタン２１が形成され、前記開閉ボタン２１は容器本体１０のロック溝１４に対応する位置に形成される。
【００３３】
前記開閉ボタン２１には下側中央にロック突起２２が形成され、前記ロック突起２２は容器本体１０のロック溝１４に係合できるように突起状になる。
【００３４】
前記容器蓋２０に形成された開閉ボタン２１は、図１に示すように、従来の容器本体１において占めていた開閉ボタンの収容空間を無くし、前記開閉ボタンを組立てるために必要だった中容器２を除去して容器本体１の化粧物質収容空間を最大化して多量の化粧物質を効果的に充填することができるようにすることで、ひんぱんな内容物リフィルの不便さを最小化することができる利点がある。
【００３５】
前記リフィル容器３０は容器本体１０の内部に装着され、化粧物質収容空間３１を形成する。
【００３６】
前記化粧物質収容空間３１には化粧物質が直接収容されてもよいし、化粧物質が含浸された含浸部材４０が装着されてもよい。
【００３７】
前記リフィル容器３０の下部外周面には結合溝３２が形成され、上部一端にはヒンジフック３３が一体形成され、内壁３４の外側に一定間隔で離隔して外壁３５が形成される。
【００３８】
前記結合溝３２は、図６に示すように、容器本体１０の結合テンション凸輪１１の内側に形成された結合突起１２と締結される。
【００３９】
前記ヒンジフック３３はリフィル容器蓋６０の外周面一側に形成されたヒンジ突起６１とフック係合方式で締結される。
【００４０】
前記内壁３４の外周面には密閉パッキン５０が結合される。
【００４１】
前記密閉パッキン５０には、上側に上部シーリングラバー５１が形成され、下側に下部シーリングラバー５２が形成される。
【００４２】
前記上部シーリングラバー５１と下部シーリングラバー５２は、図７及び図８に示すように、密閉パッキン５０の上部及び下部に二重射出又はインサート射出方式で形成され、弾性のゴム素材で形成され、特に天然ゴム、エラストマー、ＮＢＲ（ａｃｒｙｌｏｎｉｔｒｉｌｅ−ｂｕｔａｄｉｅｎｅ  ｒｕｂｂｅｒ）ゴム及びシリコンゴムの一つ以上の素材で形成される。
【００４３】
図５に示すように、前記上部シーリングラバー５１はリフィル容器蓋６０に形成されたシーリング環状凸輪６３と密着し、下部シーリングラバー５２はリフィル容器３０の内壁３４の内周面に密着して前記リフィル容器３０の化粧物質収容空間３１を密閉させることによって化粧物質が蒸発又は揮発することを防止して、長期間にわたって化粧物質が適切に機能を発揮するようにする。
【００４４】
また、前記下部シーリングラバー５２の外側には密閉凸輪ラバー５３が突設され、前記密閉凸輪ラバー５３はリフィル容器３０に形成された内壁３４の上端に圧迫状態で密着してリフィル容器３０の密閉性を一層高める。
【００４５】
前記密閉パッキン５０は下側に下部延長部５４が延設され、前記下部延長部５４の内周面には締結溝５５が形成される。
【００４６】
図５に示すように、前記締結溝５５はリフィル容器３０の内壁３４の外周面に形成された締結突起３６と締結することで、密閉パッキン５０がリフィル容器３０から分離されることを防止する。
【００４７】
前記リフィル容器蓋６０はリフィル容器３０に結合され、前記リフィル容器３０を開閉する役目をする。
【００４８】
前記リフィル容器蓋６０は、外周面の一端にヒンジ突起６１が形成され、上端にパフ７０を収容することができるパフ収容部６２が形成され、下端にシーリング環状凸輪６３が形成される。
【００４９】
前記ヒンジ突起６１はリフィル容器３０の上部一端に形成されたヒンジフック３３とフック係合方式で締結されることで、リフィル容器蓋６０とリフィル容器３０をピンで固定せずに前記フック係合方式で締結するようにして、製造に必要な部品数を減らすことによって製造コストを節減することができる。
【００５０】
前記パフ収容部６２にはパフ７０が装着されることにより、リフィル容器３０に収容された化粧物質を容易に取って使うことができる。
【００５１】
前記シーリング環状凸輪６３は、図５に示すように、密閉パッキン５０の上部シーリングラバー５１の内側に締まりばめして、リフィル容器３０を密閉させる役目をする。
【００５２】
本発明の一実施例による上下部シーリングラバーを有する密閉パッキン及び結合テンション凸輪を備えたコンパクト容器の組立方法及び使用状態を詳細に説明すれば次のようになる。
【００５３】
本発明の上下部シーリングラバーを有する密閉パッキン及び結合テンション凸輪を備えたコンパクト容器を組立てるために、一側に結合テンション凸輪１１が一体形成された容器本体１０に容器蓋２０をヒンジで結合する。
【００５４】
その後、前記容器本体１０にリフィル容器３０を装着し、図５に示すように、前記リフィル容器３０の下部外周面に形成された結合溝３２を容器本体１０の結合テンション凸輪１１の内側に形成された結合突起１２と締結する。
【００５５】
この時、前記結合テンション凸輪１１が弾性的に動くことにより、リフィル容器３０を容易に組立てることができるようにし、前記リフィル容器３０を容器本体１０に効果的に固定させることができるようにする。
【００５６】
その後、リフィル容器３０の一端に形成されたヒンジフック３３とリフィル容器蓋６０の外周面の一端に形成されたヒンジ突起６１をフック係合方式で結合することによってリフィル容器蓋６０とリフィル容器３０を締結する。
【００５７】
前記リフィル容器３０には化粧物質が直接収容されてもよいし、化粧物質が含浸された含浸部材４０が装着されてもよい。
【００５８】
そして、前記リフィル容器３０の内壁３４の外周面に上部シーリングラバー５１及び下部シーリングラバー５２が形成された密閉パッキン５０を結合することで組立てを完了する。
【００５９】
前記の方法で組み立てられた上下部シーリングラバーを有する密閉パッキン及び結合テンション凸輪を備えたコンパクト容器を使うために、容器蓋２０の一端に形成された開閉ボタン２１を押して前記容器蓋２０を開放する。
【００６０】
その後、パフ７０を摘んだ後、リフィル容器蓋６０を開放し、リフィル容器３０に収容された化粧物質を取って使用する。
【００６１】
前記リフィル容器３０の化粧物質を使った後、リフィル容器蓋６０を閉めてリフィル容器３０を密閉させるとき、前記リフィル容器の上部には密閉パッキン５０が結合されている。
【００６２】
前記密閉パッキン５０には上部シーリングラバー５１及び下部シーリングラバー５２が形成され、前記上部シーリングラバー５１はリフィル容器蓋６０に形成されたシーリング環状凸輪６３と密着するとともに下部シーリングラバー５２はリフィル容器３０の内壁３４の内周面と密着して前記リフィル容器３０の化粧物質収容空間３１を密閉させることによって化粧物質が蒸発又は揮発することを防止して、長期間にわたって化粧物質が適切に機能を発揮するようにする。
【００６３】
以上、本発明で説明したものは上下部シーリングラバーを有する密閉パッキン及び結合テンション凸輪を備えたコンパクト容器を実施するための一実施例に過ぎないもので、本発明は前記実施例に限定されるものではない。添付の請求範囲で請求するように、本発明の要旨を逸脱しない範疇内で本発明が属する分野で通常の知識を有する者であれば誰でも多様に変更して実施可能なものまで本発明の範囲に属するものとして見なさなければならないであろう。
【符号の説明】
【００６４】
１０    容器本体
１１    結合テンション凸輪
１２    結合突起
１３    弾性空間
１４    ロック溝
１５    ヒンジピン
２０    容器蓋
２１    開閉ボタン
２２    ロック突起
３０    リフィル容器
３１    化粧物質収容空間
３２    結合溝
３３    ヒンジフック
３４    内壁
３５    外壁
３６    締結突起
４０    含浸部材
５０    密閉パッキン
５１    上部シーリングラバー
５２    下部シーリングラバー
５３    密閉凸輪
５４    下部延長部
５５    締結溝
６０    リフィル容器蓋
６１    ヒンジ突起
６２    パフ収容部
６３    シーリング環状凸輪
７０    パフ
【図１】
0006568948.tif 000002
【図２】
0006568948.tif 000003
【図３】
0006568948.tif 000004
【図４】
0006568948.tif 000005
【図５】
0006568948.tif 000006
【図６】
0006568948.tif 000007
【図７】
0006568948.tif 000008
【図８】
0006568948.tif 000009